【手続補正書】
【提出日】平成18年6月27日(2006.6.27)
【手続補正１】
【補正対象書類名】明細書
【補正対象項目名】００２３
【補正方法】変更
【補正の内容】
【００２３】
反射部１３１〜１３３それぞれは、光学系１１２に対向可能な第１反射面を有する。反射部１３１は、光学系１１２により集光された波長λ１の光の集光位置への挿入および待避が自在であり、挿入されているときに光学系１１２から第１反射面に入射した波長λ１の光を光学系１１２へ反射させる。反射部１３２は、光学系１１２により集光された波長λ２の光の集光位置への挿入および待避が自在であり、挿入されているときに光学系１１２から第１反射面に入射した波長λ２の光を光学系１１２へ反射させる。また、反射部１３３は、光学系１１２により集光された波長λ３の光の集光位置への挿入および待避が自在であり、挿入されているときに光学系１１２から第１反射面に入射した波長λ３の光を光学系１１２へ反射させる。このとき反射部１３１〜１３３のうちの何れかで反射された光は、ｙ'ｚ'平面またはｙｚ平面に平行に進み、光学系１１２、回折格子素子１２１および光学系１１１を経て出力され、光ファイバ１１，１２のうちの何れかの端面に入射する。
【手続補正２】
【補正対象書類名】明細書
【補正対象項目名】００３５
【補正方法】変更
【補正の内容】
【００３５】
また、反射部１３１〜１３３が挿入されているときには、光学系１１２による集光位置に第１反射面が存在し、光学系１１３による集光位置に第２反射面が存在することが望ましい。しかし、その場合には、光学系１１２による集光位置と光学系１１３による集光位置とが互いに異なることになり、反射部１３１〜１３３が待避されているときには、光学系１１２により集光され集光位置を経て発散する光は、光学系１１３により充分にはコリメートされない。そこで、図３または図４に示されるように、反射部に隣接して透過部を設けるようにすればよい。
【手続補正３】
【補正対象書類名】明細書
【補正対象項目名】００３６
【補正方法】変更
【補正の内容】
【００３６】
図３は、反射部１３１および透過部１４１の第１例の構成を示す図である。この図に示される構成では、反射部１３１に隣接して透過部１４１が設けられ、反射部１３１が集光位置から待避されているときに透過部１４１が集光位置に挿入される。また、ｚ'軸方向
についての反射部１３１の第１反射面１３１ａと第２反射面１３１ｂとの間の距離ｗ１は、ｚ'軸方向についての透過部１４１の厚さｗ２より小さい。反射部１３２，１３３それ
ぞれについても同様である。
【手続補正４】
【補正対象書類名】明細書
【補正対象項目名】００３７
【補正方法】変更
【補正の内容】
【００３７】
このようにしておくことにより、反射部１３１の挿入時に、光学系１１２による集光位置に第１反射面１３１ａが存在するようにし、且つ、光学系１１３による集光位置に第２反射面１３１ｂが存在するようにした場合にも、反射部１３１の待避時（すなわち、透過部１４１の挿入時）に、光学系１１２による集光位置と光学系１１３による集光位置とは、透過部１４１の内部の共通位置に一致することができる。
【手続補正５】
【補正対象書類名】明細書
【補正対象項目名】００４３
【補正方法】変更
【補正の内容】
【００４３】
図４は、反射部１３１および透過部１４１の第２例の構成を示す図である。この図に示される構成では、反射部１３１が、透明部材１５１の一方の面の一部に形成された反射膜であり、透過部１４１が、透明部材１５１のうち反射膜が形成されていない部分である。反射膜１３１の膜厚が０.５μｍ以下であるのが好適である。反射部１３２，１３３それ
ぞれについても同様である。反射部１３１としての反射膜は、例えば金蒸着により作成され、その膜厚がサブμｍであり、集光位置のずれに与える影響が非常に小さい。このようにすることにより、屈折率や厚みを選択する必要がなくなるので、図３に示される構成と比較して構成が容易である。
【手続補正６】
【補正対象書類名】明細書
【補正対象項目名】００４９
【補正方法】変更
【補正の内容】
【００４９】
光ファイバ１１，１２は、ｘｚ平面に平行な共通の平面上に並列配置されている。また、光ファイバ２１，２２は、ｘｚ"平面に平行な共通の平面上に並列配置されている。この点で、第１実施形態の場合と相違する。
【手続補正７】
【補正対象書類名】明細書
【補正対象項目名】００５３
【補正方法】変更
【補正の内容】
【００５３】
反射部１３１〜１３３それぞれは、光学系１１２に対向可能な第１反射面を有する。反射部１３１は、光学系１１２により集光された波長λ１の光の集光位置への挿入および待避が自在であり、挿入されているときに光学系１１２から第１反射面に入射した波長λ１の光を光学系１１２へ反射させる。反射部１３２は、光学系１１２により集光された波長λ２の光の集光位置への挿入および待避が自在であり、挿入されているときに光学系１１２から第１反射面に入射した波長λ２の光を光学系１１２へ反射させる。また、反射部１３３は、光学系１１２により集光された波長λ３の光の集光位置への挿入および待避が自在であり、挿入されているときに光学系１１２から第１反射面に入射した波長λ３の光を光学系１１２へ反射させる。このとき反射部１３１〜１３３のうちの何れかで反射された光は、ｘｚ'平面またはｘｚ平面に平行に進み、光学系１１２、回折格子素子１２１およ
び光学系１１１を経て出力され、光ファイバ１１，１２のうちの何れかの端面に入射する。
【手続補正８】
【補正対象書類名】明細書
【補正対象項目名】００６２
【補正方法】変更
【補正の内容】
【００６２】
光ファイバ１１〜１３は、ｘｚ平面に平行な共通の平面上に、この順に並列配置されている。また、光ファイバ２１〜２３は、ｘｚ"平面に平行な共通の平面上に、この順に並列配置されている。
【手続補正９】
【補正対象書類名】明細書
【補正対象項目名】００６４
【補正方法】変更
【補正の内容】
【００６４】
反射部１３１の第１反射面（光学系１１２に対向可能な反射面）の２つの部分反射部のうち、一方の部分反射部は、光ファイバ１２の端面から出射された波長λ１の光が光学系１１１，回折格子素子１２１および光学系１１２を経て入射したときに、その波長λ１の光を反射させて、その反射光を光ファイバ１１の端面に入射させ、また、他方の部分反射部は、光ファイバ１２の端面から出射された波長λ１の光が光学径１１１，回折格子素子１２１および光学系１１２を経て入射したときに、その波長λ１の光を反射させて、その反射光を光ファイバ１３の端面に入射させる。
【手続補正１０】
【補正対象書類名】明細書
【補正対象項目名】００６５
【補正方法】変更
【補正の内容】
【００６５】
反射部１３１の第２反射面（光学系１１３に対向可能な反射面）の２つの部分反射部のうち、一方の部分反射部は、光ファイバ２２の端面から出射された波長λ１の光が光学系１１４，回折格子素子１２２および光学系１１３を経て入射したときに、その波長λ１の光を反射させて、その反射光を光ファイバ２３の端面に入射させ、また、他方の部分反射部は、光ファイバ２２の端面から出射された波長λ１の光が光学系１１４，回折格子素子１２２および光学系１１３を経て入射したときに、その波長λ１の光を反射させて、その反射光を光ファイバ２１の端面に入射させる。
【手続補正１１】
【補正対象書類名】明細書
【補正対象項目名】００７２
【補正方法】変更
【補正の内容】
【００７２】
この場合、光ファイバ１２の端面から出射された波長λ２の光は、光学系１１１，回折格子素子１２１および光学系１１２を経て、集光位置に挿入された反射部１３２の第１反射面の一方の部分反射部により反射され、光学系１１２，回折格子素子１２１および光学系１１１を経て、光ファイバ１３の端面に入射する。また、光ファイバ２１の端面から波長λ２の光が出射されると、この波長λ２の光は、光学系１１４，回折格子素子１２２および光学系１１３を経て、集光位置に挿入された反射部１３２の第２反射面の一方の部分反射部により反射され、光学系１１３，回折格子素子１２２および光学系１１４を経て、光ファイバ２２の端面に入射する。
【手続補正１２】
【補正対象書類名】明細書
【補正対象項目名】００８９
【補正方法】変更
【補正の内容】
【００８９】
このように、本実施形態に係る光合分波器５も、前述の第３実施形態に係る光合分波器４と同様に動作し同様の効果を奏することができる。また、この光合分波器５を用いることにより、よりフレキシブルなネットワーク構成が可能となる。
【手続補正１３】
【補正対象書類名】明細書
【補正対象項目名】００９４
【補正方法】変更
【補正の内容】
【００９４】
【図１】第１実施形態に係る光合分波器１の構成図である。
【図２】第１実施形態に係る光合分波器１の動作を説明する図である。
【図３】反射部１３１および透過部１４１の第１例の構成を示す図である。
【図４】反射部１３１および透過部１４１の第２例の構成を示す図である。
【図５】第２実施形態に係る光合分波器２の構成図である。
【図６】第３実施形態に係る光合分波器３の構成図である。
【図７】第３実施形態に係る光合分波器３の動作を説明する図である。
【図８】第３実施形態に係る光合分波器３の他の動作を説明する図である。
【図９】第４実施形態に係る光合分波器４の構成図である。
【図１０】第５実施形態に係る光合分波器５の構成図である。
【図１１】本実施形態に係る光デバイス９の構成図である。
【手続補正１４】
【補正対象書類名】図面
【補正対象項目名】図７
【補正方法】変更
【補正の内容】
【図７】
2005308867.tif 000001
【手続補正１５】
【補正対象書類名】図面
【補正対象項目名】図１１
【補正方法】変更
【補正の内容】
【図１１】
2005308867.tif 000002